【手続補正書】
【提出日】平成18年9月5日(2006.9.5)
【手続補正１】
【補正対象書類名】明細書
【補正対象項目名】発明の名称
【補正方法】変更
【補正の内容】
【発明の名称】光源用ＬＥＤランプおよびこれを用いた車両用前照灯
【手続補正２】
【補正対象書類名】明細書
【補正対象項目名】特許請求の範囲
【補正方法】変更
【補正の内容】
【特許請求の範囲】
【請求項１】
光源用ＬＥＤランプであって、
ＬＥＤチップと蛍光材料を含むＬＥＤ発光部と、
前記ＬＥＤ発光部からの光を投影する投影手段と、
前記ＬＥＤ発光部に近接して、前記前記ＬＥＤ発光部の一部を覆う遮蔽部材とを備え、
前記遮蔽部材は、前記蛍光材料よりも前記ＬＥＤランプ照射方向前方側に位置し、前記ＬＥＤ発光部と対峙する側の面は当該遮蔽板に入射する前記発光部からの光を反射する反射部材であり、
前記ＬＥＤ発光部の前記遮蔽部材で覆われない部分の形状が、前記投影手段により照射方向に拡大投影されて明暗境界線を有する配光特性が得られることを特徴とする光源用ＬＥＤランプ。
【請求項２】
前記遮蔽部材の前記ＬＥＤ発光部と対峙する側の面は、前記ＬＥＤ発光部の遮蔽が行われていない方向に向けて光を反射する傾斜が設けられていることを特徴とする請求項１記載の光源用ＬＥＤランプ。
【請求項３】
前記遮蔽部材の前記ＬＥＤ発光部と対峙する側の面は鏡面処理が成されている反射面とされていることを特徴とする請求項２記載の光源用ＬＥＤランプ。
【請求項４】
前記遮蔽部は前記ＬＥＤ発光部における最高輝度を生じる部分またはその近傍を通る稜線に遮蔽部材の縁部が位置することを特徴とする請求項１〜請求項３の何れかに記載の光源用ＬＥＤランプ。
【請求項５】
前記遮蔽部材は前記ＬＥＤ発光部を覆うレンズ部材あるいは窓ガラス部材に一体化して設けられていることを特徴とする請求項１〜請求項４の何れかに記載の光源用ＬＥＤランプ。
【請求項６】
請求項１〜請求項５の何れかに記載の光源用ＬＥＤランプの複数を用いた車両用前照灯であって、
前記複数の光源用ＬＥＤランプは、前記投影手段による拡大率の異なる光源用ＬＥＤランプを備え、異なる拡大率の光源用ＬＥＤランプによる配光を重ね合わせて配設していることを特徴とする車両用前照灯。
【請求項７】
請求項１〜請求項５の何れかに記載の光源用ＬＥＤランプの複数を用いた車両用前照灯であって、
前記車両用前照灯の配光特性が、何れかの光源用ＬＥＤランプの配光形状と、当該光源用ランプと異なる光源用ＬＥＤランプの配光形状をつなぎ合わせて形成されるように複数の光源用ＬＥＤランプが配設されていることを特徴とする車両用前照灯。
【手続補正３】
【補正対象書類名】明細書
【補正対象項目名】０００１
【補正方法】変更
【補正の内容】
【０００１】
【発明の属する技術分野】
本発明は、ＬＥＤランプに関するものであり、詳細には、車両用灯具の光源としても用いられるＬＥＤランプの構成に係るものであって、前照灯（ヘッドライト）、補助前照灯（フォグライト）など従来は採用されることの無かった照明用の車両灯灯具の光源として採用可能なＬＥＤランプの構成に係るものである。
【手続補正４】
【補正対象書類名】明細書
【補正対象項目名】０００５
【補正方法】変更
【補正の内容】
【０００５】
【課題を解決するための手段】
本発明は前記した従来の課題を解決するための具体的手段として、光源用ＬＥＤランプであって、ＬＥＤチップと蛍光材料を含むＬＥＤ発光部と、前記ＬＥＤ発光部からの光を投影する投影手段と、前記ＬＥＤ発光部に近接して、前記前記ＬＥＤ発光部の一部を覆う遮蔽部材とを備え、前記遮蔽部材は、前記蛍光材料よりも前記ＬＥＤランプ照射方向前方に位置し、前記ＬＥＤ発光部と対峙する側の面は当該遮蔽板に入射する前記発光部からの光を反射する反射部材であり、前記ＬＥＤ発光部の前記遮蔽部材で覆われない部分の形状が、前記投影手段により照射方向に拡大投影されて明暗境界線を有する配光特性が得られることを特徴とする光源用ＬＥＤランプ。
【手続補正５】
【補正対象書類名】明細書
【補正対象項目名】０００６
【補正方法】変更
【補正の内容】
【０００６】
【発明の実施の形態】
つぎに、本発明を図に示す実施形態に基づいて詳細に説明する。図１および図２に符号１で示すものは本発明に係る光源用ＬＥＤランプ（以下、ＬＥＤランプ１と略称する。）であり、このＬＥＤランプ１においては、ＬＥＤチップ３はベース３上にマウントが行われている。
【手続補正６】
【補正対象書類名】明細書
【補正対象項目名】００１０
【補正方法】変更
【補正の内容】
【００１０】
よって、本発明においては、前記ＬＥＤチップ２と蛍光体５とを組合わせて白色発光などとしたＬＥＤ発光部８をもって前照灯の光源としているものとして以後の説明を行うが、例えば灯色に黄色が要求されたときなどには、ＬＥＤチップ２からの直射光のままでも光源光として採用可能となるが、この場合においても本発明は実施が可能であり、その場合には、前記ＬＥＤ発光部８をＬＥＤチップ２に置き換えれば良い。
【手続補正７】
【補正対象書類名】明細書
【補正対象項目名】００１１
【補正方法】変更
【補正の内容】
【００１１】
また、前記ＬＥＤチップ２、金線４、蛍光体５などは機械的にも強度が弱く、湿度などに対する耐性も充分ではないので、透明樹脂などで形成されたレンズ状部材、あるいは、窓ガラス状部材（図示は窓ガラス状部材６の例で示す）で覆われ、前記基台部３ａとで外気に対して密閉状態とされて、上記各部位の接触による破損、湿度による劣化などを防ぐものとされている。また、レンズ状部材、あるいは、窓ガラス状部材とＬＥＤ発光部８との間は、不活性ガス、シリコーンゲル（ここではシリコーンゲル９の例で示す）などで満たすことが好ましい。
【手続補正８】
【補正対象書類名】明細書
【補正対象項目名】００２１
【補正方法】変更
【補正の内容】
【００２１】
また、同時に行った前記遮蔽部材７に対する発明者の検討の結果では、配光特性の形状をより正確に得るためには投影レンズ１０の焦点を遮蔽部材７に合わせて投影することが好ましく、また、配光特性に明るさを得たいときには投影レンズ１０の焦点をＬＥＤ発光部８（灯色が黄色の場合はＬＥＤチップ２）に合わせ投影することが好ましい。よって、ＬＥＤチップ２と遮蔽部材７とは近接していれば両者がほぼ焦点が合っている状態となり、形状と明るさの双方の面に好都合であり、両者の間隔は２mm以下とすることが好ましく、更には１mm以下とすれば一層の好結果が期待できる。
【手続補正９】
【補正対象書類名】明細書
【補正対象項目名】００２２
【補正方法】変更
【補正の内容】
【００２２】
また、上記のように、遮蔽部材７により覆われるＬＥＤ発光部８を投影レンズ１０で投影する場合、投影レンズ１０には１枚の平凸レンズ形状が採用されることが多いので図６に示すように、例えば青色に対する焦点ｆｂを生じる位置と赤色に対する焦点ｆｒを生じる位置とに位置差がある、いわゆる色収差を生じるものとなる。
【手続補正１０】
【補正対象書類名】明細書
【補正対象項目名】００２５
【補正方法】変更
【補正の内容】
【００２５】
尚、前記遮蔽部材７について更に説明を行えば、前記投影レンズ１０においては上記に説明した色収差(Chromatic aberratin)以外にも、球面収差(Spherical aberration)、非点収差(Astigmatism)、コマ(Coma)、像面湾曲(Field cllurvature)、歪曲収差(Distortion)などの収差を生じ、前記ＬＥＤ発光部８の形状を投影するときには、これらの収差によって、形状の歪み、あるいは、焦点はずれなどを生じる。
【手続補正１１】
【補正対象書類名】明細書
【補正対象項目名】００２９
【補正方法】変更
【補正の内容】
【００２９】
ここで、本発明では極めて小面積であるＬＥＤ発光部８を直接に投影するものであるので、投影レンズ１０も小型のもので良いものとなり、よって、ＬＥＤランプ１と投影レンズ１０との組合せを複数個用意しても充分に前照灯として要求される寸法内には保てるものとなる。
【手続補正１２】
【補正対象書類名】明細書
【補正対象項目名】図面の簡単な説明
【補正方法】変更
【補正の内容】
【図面の簡単な説明】
【図１】  本発明に係る前照灯光源用ＬＥＤランプの実施形態を示す斜視図である。
【図２】  図１のＡ−Ａ線に沿う断面図である。
【図３】  本発明により得られるすれ違い配光特性の例を示す説明図である。
【図４】  本発明に係る前照灯光源用ＬＥＤランプを投影レンズと組合わせるときに状態を示す説明図である。
【図５】  本発明に係る前照灯光源用ＬＥＤランプの遮蔽部材の構成の例を示す断面図である。
【図６】  投影レンズに生じる色収差の例を示す説明図である。
【図７】  本発明に係る前照灯光源用ＬＥＤランプの遮蔽部材の別の構成の例を示す断面図である。
【図８】  同じく本発明に係る前照灯光源用ＬＥＤランプの遮蔽部材の更に別の構成の例を示す断面図である。
【図９】  複数の前照灯光源用ＬＥＤランプと投影レンズとの組合わせで前照灯を構成するときの例を示す説明図である。
【図１０】  複数の前照灯光源用ＬＥＤランプと投影レンズとを組合わせるときの配光特性の形成手段の例を示す説明図である。
【図１１】  本発明に係る前照灯光源用ＬＥＤランプをリフレクタと組合わせるときに状態を示す説明図である。
【符号の説明】
１……前照灯光源用ＬＥＤランプ
２……ＬＥＤチップ
３……ベース
３ａ……基台部
３ｂ……リードフレーム
３ｃ……絶縁層
４……金線
５……蛍光体
６……窓ガラス状部材
７……遮蔽部材
７ａ……鋸歯形状部
８……ＬＥＤ発光部
９……シリコーンゲル
１０……投影レンズ
１１……リフレクタ
１２……ＳｉＯ２膜